(57)【特許請求の範囲】
【請求項１】
回転軸に挿通された複数の丸刃と、前記複数の丸刃の夫々を両側面より挟む一対のリング状の第１及び第２のスペーサーとを夫々備えたテープ切断用丸刃ナイフにおいて、前記第１のスペーサーは、側面に前記回転軸の中心軸と平行に、前記丸刃の前記中心軸方向のフレを調整するために第１のねじが装着される第１のねじ穴と、前記第１のねじ穴とは、位相を変えて平行に配置された第２のねじ穴とを有し、前記第２のスペーサーは、前記第２のねじ穴と同じ位置に設けられ前記第２のねじ穴に挿入された第２のねじを固定するための第３のねじ穴を有し、前記丸刃は前記第１及び第２のスペーサーによって挟み前記第２のねじで固定され、さらに、前記丸刃は前記第１のねじの進退によって、そのフレ幅が調整されていることを特徴とするスリッタ装置。
【請求項２】
請求項１記載のスリッタ装置において、前記第１のスペーサーは、内側に前記第２のスペーサー側に軸方向に突出した円筒部を備え、この円筒部によって、前記丸刃と前記第１のスペーサーとの側面間、押さえ板を挿入可能な隙間を有することを特徴とするスリッタ装置。
【請求項３】
請求項２記載のスリッタ装置において、前記円筒部と前記第２のスペーサーとは軸方向に移動可能であるが、前記中心軸方向に交差する方向への移動を互いに係止する係合部を備えていることを特徴とするスリッタ装置。
【請求項４】
請求項３記載のスリッタ装置において、前記丸刃と前記第１との間に更に、押さえ板を備え、前記丸刃の外径と前記押さえ板外径及び前記第１のスペーサーの外径の比率は１：０．７：０．７〜１：０．９：０．９に設定され、前記第１のスペーサーの厚みと前記押さえ板の厚みと、前記丸刃及び前記第１のスペーサー間の隙間との比率は１：０．１：０．０９〜１：０．７：０．６９に設定されていることを特徴とするスリッタ装置。
【請求項５】
請求項４記載のスリッタ装置において、前記第１及び第２のスペーサの夫々の外径の比率は、１：０．５〜１：１の範囲内であることを特徴とするスリッタ装置。
【請求項６】
請求項３記載のスリッタ装置において、前記第２のスペーサーには、前記丸刃と前記第１のスペーサーの間の隙間寸法に前記丸刃の厚み寸法を加えた分の間隔ができるように、前記係合部が構成されていることを特徴とするスリッタ装置。
【発明の詳細な説明】
【０００１】
【発明の属する技術分野】
本発明は、スリッタ装置に関し、詳しくは、磁気テープや、樹脂とカーボン及び金属等の材料を積層した多層からなる広幅の金属箔を切断するのに使用される丸刃ナイフ等に利用されるスリッタ装置に関する。
【０００２】
【従来の技術】
従来、図６に示すようなスリッタ装置が知られている（以下、従来技術１と呼ぶ）。図６のスリッタ装置１００は、支持部材の側板１１１に回転可能に支持された上刃シャフト１０９および下刃シャフト１１０と、これらのシャフト１０９，１１０に上刃スペーサー１０２，１０３及び下刃スペーサー１０５，１０６を夫々介して設けられた丸刃からなる上刃１０１及び下刃１０４と、各スペーサー１０２、１０３、１０５、１０６を固定するとともに軸フレを調整するためのフレ調整用ナット（エンドナット）１０７，１０８とを備えている。図６のスリッタ装置は、上刃１０１及び下刃１０２は、互いの刃側面がほぼ接触するように対向配置されている。
【０００３】
また、図７に示すスリッタ装置が提案されている（特公平−１２１５１５号公報、参照、以下、従来技術２と呼ぶ）。
【０００４】
図７に示すスリッタ装置は、シャフト１０９には、一端に小径部と他端部に側面１０２ｂを備えたスペーサー１０２と、その小径部に、弾性部材１１７によって、スペーサー１０２の側面１０２ｂに圧接するように装着された丸刃からなる上刃１１５を備え、一方、シャフト１１０には、上刃１１５の側面とほぼ接触するように設けた下刃面１１６ｂを備えた下刃１１６を装着した構成である。
【０００５】
さらに、図８に示すスリッタ装置も提案されている（特開平６−３３５８９２号公報、参照、以下、従来技術３と呼ぶ）。
【０００６】
図８に示すスリッタ装置１２０は、図６の装置の上刃１２２および下刃１２６の両端面１２２ｂ，１２６ｂの先端に切刃１２２ａ、１２６ａを夫々備えている構成である。
【０００７】
このように、従来のスリッタ装置は、上下刃を各々のシャフトに組み込み、被切断材を複数条の部分にスリットするために上刃の軸を軸方向に移動して下刃に接触させる構成である。
【０００８】
ここで，例えば、多数条取の磁気テープ・金属箔・フィルムを切断するには、上刃と以下、下刃を密着させることが必要である。というのは、上下刃が離れるとテープが切れなかったり、テープ切断面の品質が低下するからである。一方、密着力が強すぎると丸刃の刃先にチッピングや摩耗が発生し切断テープの品質を低下させることになる。
【０００９】
ところで，丸刃の密着は上下刃を各々のシャフトに組み込み、上刃をシャフトの微調整スライド機構により移動させ下刃に接触させている。多数のナイフを組み込むと下刃と上刃を保持している上刃ホルダーの単体厚み、平行度、平面度により、上刃と下刃の接触点（ゼロ点）に差が生じ、また、回転するナイフの側面フレによって上下刃ナイフの接触圧にバラツキが生じて、切断するテープの品質低下の要因となっている。
【００１０】
このスリッタ装置を組み立てるには、一般に３枚〜１００枚の丸刃とスペーサーを入れ、最後にフレ調整用ナット１０７，１０８を入れる。フレ調整用ナット１０７，１０８の側面には、３ケ〜１２ケのねじが取り付けてあり、シャフト１０９，１１０方向に移動することができる。このねじを丸刃とスペーサーを入れた方向ヘねじ込み、丸刃とスペーサーを押圧することで一括してフレ調整が行なえる。
【００１１】
【発明が解決しようとする課題】
しかし、前述した方法では、フレ調整用ナット１０７，１０８側からの押圧だけで、セットしたすべての刃に対して均等の押圧力が伝達されないため各ねじの締め付け具合によって個々の刃のフレ調整が出来ない欠点がある。
【００１２】
また、両端で一括してエンドナット１０７、１０８で丸刃側面のフレ調整を行なうため、丸刃単体の各々のフレ調整ができない。
【００１３】
また、従来のスリッタ装置において、従来の丸刃は接触圧にバラツキが生じてチッピングが発生するという欠点があった。
【００１４】
さらに、被切断材として、樹脂とカーボン及び金属等の材料を積層した多層からなるものに金属箔の塗布、蒸着により形成した層を損傷することなく切断するために、鋭利で薄い丸刃が要求される。
【００１５】
前述の磁気テープの切断には、より薄い形状の丸刃が適しているが、それを薄くするほど丸刃形状の上下刃切断でのフレはさらに大きくなる。そして、０．４mm以下の厚みの丸刃ではフレが大きい欠点がある。
【００１６】
さらに、丸刃とスペーサーが分かれているので、組み立てるときに丸刃の外周を指先で持ち指先を切傷する危険性がある。
【００１７】
そこで，本発明の技術的課題は、薄く刃先が鋭利な丸刃を入れる個々のスペーサーに、丸刃個々のフレ調整ができるスリッタ装置を提供することにある。
【００１８】
【課題を解決するための手段】
本発明によれば、回転軸に挿通された複数の丸刃と、前記複数の丸刃の夫々を両側面より挟む一対のリング状の第１及び第２のスペーサーとを夫々備えたテープ切断用丸刃ナイフにおいて、前記第１のスペーサーは、側面に前記回転軸の中心軸と平行に、前記丸刃の前記中心軸方向のフレを調整するために第１のねじが装着される第１のねじ穴と、前記第１のねじ穴とは、位相を変えて平行に配置された第２のねじ穴とを有し、前記第２のスペーサーは、前記第２のねじ穴と同じ位置に設けられ前記第２のねじ穴に挿入された第２のねじを固定するための第３のねじ穴を有し、前記丸刃は前記第１及び第２のスペーサーによって挟み前記第２のねじで固定され、さらに、前記丸刃は前記第１のねじの進退によって、そのフレ幅が調整されていることを特徴とするスリッタ装置が得られる。
【００１９】
また、本発明によれば、前記スリッタ装置において、前記第１のスペーサーは、内側に前記第２のスペーサー側に軸方向に突出した円筒部を備え、この円筒部によって、前記丸刃と前記第１のスペーサーとの側面間、押さえ板を挿入可能な隙間を有することを特徴とするスリッタ装置が得られる。
【００２０】
また、本発明によれば、前記スリッタ装置において、前記円筒部と前記第２のスペーサーとは軸方向に移動可能であるが、前記中心軸方向に交差する方向への移動を互いに係止する係合部を備えていることを特徴とするスリッタ装置が得られる。
【００２１】
また、本発明によれば、前記スリッタ装置において、前記丸刃と前記第１との間に更に、押さえ板を備え、前記丸刃の外径と前記押さえ板外径及び前記第１のスペーサーの外径の比率は１：０．７：０．７〜１：０．９：０．９に設定され、前記第１のスペーサーの厚みと前記押さえ板の厚みと、前記丸刃及び前記第１のスペーサー間の隙間との比率は１：０．１：０．０９〜１：０．７：０．６９に設定されていることを特徴とするスリッタ装置が得られる。
【００２２】
また、本発明によれば、前記スリッタ装置において、前記第１及び第２のスペーサーの夫々の外径の比率は、１：０．５〜１：１の範囲内であることを特徴とするスリッタ装置が得られる。
【００２５】
また、本発明によれば、前記スリッタ装置において、前記第２のスペーサーには、前記丸刃と前記第１のスペーサーの間の隙間寸法に前記丸刃の厚み寸法を加えた分の間隔ができるように、前記係合部が構成されていることを特徴とするスリッタ装置が得られる。
【００２６】
【発明の実施の形態】
以下、本発明の実施の形態について図面を参照して説明する。
【００２７】
図１は本発明の実施の形態によるスリッタユニットの丸刃部分を主に示す正面図である。図２は図１のＩＩ−ＩＩ線断面図である。図１及び図２を参照すると、スリッタユニット４０は、回転軸５０と、この回転軸５０に夫々通された丸刃３０と、丸刃３０を両側面より挟む一対のリング状の第１及び第２のスペーサー１０、２０と、丸刃３０と第１のスペーサー１０との間に介在する押さえ板５とを有する。このスリッタユニット４０の一対を回転軸を互いに平行に設けて、丸刃３０部分の側面を接触させるように構成すると、スリッタ装置を組み立てることができる。
【００２８】
第１のスペーサー１０は、一側面１７とそこから内径１３’側で且つ中心軸方向に円筒状に突出した円筒部１４とさらに中心側で突出した係合部１６を備えている。また、他側面１１から中心軸と平行をなすように貫通して設けられ棒ねじ８が挿入されるフレ調整用ねじ穴１と、これと位相を変えて設けられた座ぐり穴２とを夫々３カ所〜１２カ所の位置に有する。
【００２９】
第２のスペーサー２０は、第１のスペーサー１０の座ぐり穴２と一致する位置に、固定用ねじ穴３を有するとともに、一側面２２の円筒部１４の内側に設けられた係合部１６と対向するの位置に円筒状に窪んだ係合孔２３とを有している。この係合孔２３と、係合部１６とが係合すると、丸刃３０の厚みに隙間３２を加えた分の間隔１５ができる。
【００３０】
第１及び第２のスペーサー１０、２０で，丸刃３０を挟み、座ぐり穴２及び固定用ねじ穴３にボルト４を挿入して固定する。その際に、丸刃３０と第１のスペーサー１０の側面１７との間に隙間３２があり、丸刃３０の第１のスペーサー１０側に、省略可能な押さえ板５を挿入する。
【００３１】
丸刃３０の外径３１と押さえ板５の外径６、及び第１及び第２のスペーサー１０、２０の外径１２、２１の比率は１：０．７：０．７〜１：０．９：０．９となるように構成されている。
【００３２】
また、第１のスペーサー厚み１３と押さえ板５の厚み及び隙間３２の比率は１：０．１：０．０９〜１：０．７：０．６９となるように形成されている。
【００３３】
このような構成のスリッタユニットのフレ調整において、第１のスペーサー１０のフレ調整用ねじ穴１に棒ねじ８を入れ押さえ板５を介して丸刃３０の側面３３を押すことで、個別に丸刃３０の側面３３のフレ調整を行うことができる。
【００３４】
ただし、押さえ板５は省略可能であり、第１及び第２のスペーサー１０、２０の夫々の外径１２と２１の比率を１：０．５〜１：１まで変えることができる。
【００３５】
また、組立の際には、前述のように丸刃３０と第１及び第２のスペーサー１０、２０を固定しているので、第１及び第２のスペーサー１０、２０の外周１２もしくは２１を指先で持って軸５０に組み込むことが可能となり安全性が増すことができる。尚、符号７は、丸刃３０の厚みと押さえ板５の厚みとを加えた長さを示している。
【００３６】
このような本発明の実施の形態によるスリッタ装置によれば、厚み０．１ｍｍの丸刃の個別にフレ調整が可能となり、フレを５μｍ以下に抑えて上下刃の切刃のチッピングを抑制し、切れ味及び寿命が向上した。
【００３７】
さらに、本発明によれば、スペーサーの外周を指先で持って軸に組み込むことが可能となり安全性が増した。
【００３８】
（例１）
次に本発明の実施の形態によるスリッタユニットの効果を検証するための実験を行った。
【００３９】
図７及び図８に示す従来技術２及び３による丸刃ナイフとスペーサー（従来品１、２）及び本発明の実施の形態による丸刃ナイフとスペーサー（本発明品１）を夫々各１０組づつ組み立て、そのフレ等について比較した。その結果を下記表１に示す。また、同様な試料を用い、上下刃を接触させ、上刃軸を手回しで３０回転させたときの刃先の切刃のチッピングを観察した。その結果を図３乃至５に示す。
【００４０】
【表１】
0003663578.tif 000002
【００４１】
図３及び図４は従来品１及び２によるナイフの刃先の形状を夫々示す図である。
【００４２】
また、図５は本発明品のナイフの刃先の形状を夫々示す図である。
【００４３】
従来品１においては、表１に示すように、丸刃ナイフとスペーサーとのフレ調整用ナットの締め加減で調整して丸刃側面のフレ４５μｍ以下が限界だった。また、図３に示すように、従来品１においては、刃先にｍａｘ１２μｍのチッピングが発生した。
【００４４】
従来品２においては、表１に示すように、丸刃ナイフとスペーサーとのフレ調整用ナットの締め加減で調整して丸刃側面のフレ２５μｍ以下が限界だった。
【００４５】
また、図４に示すように、従来品２においては、刃先にｍａｘ６μｍのチッピングが発生した。
【００４６】
これに対して、本発明品は、丸刃ナイフとスペーサーを使って丸刃側面のフレを５μｍ以下にすることができた。また、チッピングの発生は見られなかった。
【００４７】
以上説明したように、本発明の実施の形態によるスリッタユニット４０によれば、回転軸５０に通した丸刃３０を両側面より挟む一対のリング状スペーサー１０、２０のうち、片方のスペーサーの側面１１に中心軸と平行をなす３カ所〜１２カ所のフレ調整用ねじ穴１と位相を変えて座ぐり穴２を有し、もう一方のスペーサー２０にスぺーサー１０の座ぐり穴２と一致する固定用ねじ穴３を有し、丸刃３０を両スペーサー１０、２０で挟みボルト４で固定し、その際、丸刃３０とスペーサー１０の間に隙間があり、押さえ板５を入れ、丸刃外径３１と押さえ板外径６及びスペーサー外径２１の比率を１：０．７：０．７〜１：０．９：０．９、スペーサー厚みと押さえ板厚み及び隙間の比率は１：０．１：０．０９〜１：０．７：０．６９とし、スペーサー１０には内径側に円筒部を有し、もう一つのスペーサー２０には、丸刃３０の厚み寸法に隙間寸法を加えた分の間隔ができるように係合部１６を有することにより、フレ調整において、スペーサー１０のフレ調整用ねじ穴１に棒ねじ８を入れ押さえ板５を介して丸刃の側面２２を押すことで、個別に丸刃の側面２２のフレ調整が行なうことができ、押さえ板５を省略してもフレ調整できるスリッタ装置を提供することができる。
【００４８】
また、第１のスペーサー外径１２と第２のスペーサー外径２１の比率を１：０．５〜１：１まで変えることができる。
【００４９】
また、本発明の実施の形態によるスリッタ装置によれば、厚み０．１ｍｍの丸刃３０を個別にフレ調整が可能となり、フレを５μｍ以下に抑えることができた。
【００５０】
また、本発明の実施の形態によるスリッタ装置によれば、上下刃の切刃のチッピングを抑制できた。
【００５１】
さらに、本発明の実施の形態によるスリッタ装置によれば、スペーサーの外周を指先で持って回転軸５０に組み込むことが可能となり安全性を増すことができた。
【００５２】
【発明の効果】
以上説明したように、本発明によれば、丸刃とスペーサーの間に隙間を設け、個別に丸刃側面のフレ調整ができるフレ調整用ねじ穴を設け、これに棒ねじを挿入することでフレが減少し、上下刃の切刃のチッピングを抑制でき、また、スペーサーの外周を指先で持って軸に組み込むことが可能となり安全性を増すことができるスリッタ装置を提供することができる。
【図面の簡単な説明】
【図１】本発明の実施の形態によるスリッタユニットの丸刃部分を主に示す正面図である。
【図２】図１のＩＩ−ＩＩ線断面図である。
【図３】従来品１における刃先の切刃のチッピングを観察した図である。
【図４】従来品２における刃先の切刃のチッピングを観察した図である。
【図５】本発明の実施の形態における刃先の切刃のチッピングを観察した図である。
【図６】従来技術１によるスリッタ装置を示す側面図である。
【図７】従来技術２によるスリッタ装置を示す断面図である。
【図８】従来技術３によるスリッタ装置を示す断面図である。
【符号の説明】
１    フレ調整用ねじ穴
２    座ぐり穴
３    固定用ねじ穴
４    ボルト
５    押さえ板
６    外径
８    棒ねじ
１０    第１のスペーサー
１１    他側面
１２，２１    外径（外周）
１３    厚み
１３’    内径
１４    円筒部
１５    間隔
１６    係合部
１７    側面
２０    第２のスペーサー
２２    側面
２３    係合孔
３０    丸刃
３２    隙間
３３    側面
４０    スリッタユニット
５０    回転軸
１００    スリッタ装置
１０１    上刃
１０２，１０３    上刃スペーサー
１０２ｂ    側面
１０４    下刃
１０５，１０６    下刃スペーサー
１０７，１０８    調整ナット
１０９    上刃シャフト
１１０    下刃シャフト
１１１    側板
１１５    上刃
１１６    下刃
１１７    弾性部材
１２０    スリッタ装置
１２２    上刃
１２６    下刃
１２２ａ，１２６ａ    切り刃
１２２ｂ，１２６ｂ    端面
【図１】
0003663578.tif 000003
【図２】
0003663578.tif 000004
【図３】
0003663578.tif 000005
【図４】
0003663578.tif 000006
【図５】
0003663578.tif 000007
【図６】
0003663578.tif 000008
【図７】
0003663578.tif 000009
【図８】
0003663578.tif 000010